(57)【要約】【課題】器具本体の底部と反射部材の間隔のばらつきの抑制を図る。【解決手段】照明器具１は、下面が開口した箱状の器具本体２と、器具本体２内に収容される光源ユニット３と、光源ユニット３から放射される光を下面に向かって反射する反射面を有して器具本体２内に収容される反射部材４とを備える。照明器具１は、反射部材４を器具本体２内に収容された状態に固定する固定部材６と、器具本体２と反射部材４の間に設けられる一つ以上のスペーサ８とを備える。器具本体２は、下面と対向する底部２０を有する。スペーサ８は、底部２０との間に間隔を空けて反射部材４と対向する対向片８０を有する。【選択図】        図９
2020181682.tif 000002
【特許請求の範囲】
【請求項１】
第１面が開口した箱状の器具本体と、
前記器具本体内に収容される面光源と、
前記面光源から放射される光を前記第１面に向かって反射する反射面を有して前記器具本体内に収容される反射部材と、
前記反射部材を前記器具本体内に収容された状態に固定する固定部材と、
前記器具本体と前記反射部材の間に設けられる一つ以上のスペーサと、
を備え、
前記器具本体は、前記第１面と対向する底部を有し、
前記スペーサは、前記底部との間に間隔を空けて前記反射部材と対向する対向片を有する、
照明器具。
【請求項２】
前記器具本体内に収容され、前記面光源に電力を供給して点灯する電源装置と、
前記電源装置と前記面光源を電気的に接続する電線と、
を備え、
前記電線は、前記対向片と前記底部の間に生じる空間に配線される、
請求項１記載の照明器具。
【請求項３】
前記スペーサは、前記対向片から前記反射部材に近付く向きに突出する突部を有する、
請求項１又は２記載の照明器具。
【請求項４】
前記突部は、前記対向片からの突出量が可変である、
請求項３記載の照明器具。
【請求項５】
前記突部は、前記対向片に設けられるねじ穴にねじ込まれた雄ねじの頭部である、
請求項４記載の照明器具。
【請求項６】
前記反射部材を前記器具本体に取り付ける取付部材を備え、
前記取付部材は、弾性力によって前記反射部材を前記底部に近付ける向きに引っ張っている、
請求項５記載の照明器具。
【請求項７】
前記スペーサを複数備え、
前記固定部材は、
Ｕ字形状のばねからなる受け部と、
前記受け部に対して抜き差し可能に挟み込まれる差込部と、
を有し、
複数の前記スペーサのうちの少なくとも一つの前記スペーサは、前記受け部が弾性変形する方向に沿って前記受け部と対向する制限部を有する、
請求項１〜６のいずれか１項に記載の照明器具。
【請求項８】
前記スペーサは、前記底部の四隅に一つずつ設けられている、
請求項１〜７のいずれか１項に記載の照明器具。
【発明の詳細な説明】
【技術分野】
【０００１】
本開示は、照明器具に関し、より詳細には、器具本体に対して着脱が可能な反射部材を備えた照明器具に関する。
【背景技術】
【０００２】
従来例として特許文献１記載の照明器具を例示する。特許文献１記載の照明器具（以下、従来例という）は、四つの光源ユニット、器具本体及び反射部材を備える。四つの光源ユニットはそれぞれ、ＬＥＤモジュール及び導光板を有する。導光板は、透光性を有する合成樹脂材料によって長尺の矩形板状に形成されている。ＬＥＤモジュールから放射される光は、導光板の長手方向に沿った二つの端面のうちの一方の端面から導光板内に入射され、導光板内を導光されて導光板の表面から出射する。
【０００３】
器具本体は、底板と四つの側板によって矩形の箱形に形成される。四つの側板の各々の内側に導光板が一つずつ対向するように、四つの光源ユニットが器具本体の底板に取り付けられる。また、底板には二つの係合部が設けられている。
【０００４】
反射部材は、四角形の板状に形成された反射板、反射板の４辺からそれぞれ一つずつ曲げ起こされた四つの反射側板、仮保持部材、二つの引掛具及び取付ばねを有する。二つの引掛具はそれぞれ、ひし形の板状に形成され、反射板の上面において隣り合う二つの角の近くに配置されている。仮保持部材は、二つの貫通孔が設けられたベース板を有する。ベース板は、反射板との間に距離を空けて反射板の上面に取り付けられている。
【０００５】
取付ばねは、ねじりコイルばねで構成されている。取付ばねは、ベース板の上面における長手方向の中央に、取付金具によって取り付けられている。
【０００６】
反射部材の二つの貫通孔のそれぞれに、器具本体の二つの係合部のそれぞれの引掛片が挿通される。また、取付ばねの両端が器具本体の底板の引掛孔に挿通される。そして、二つの係合部を支点として反射部材が回転させられながら器具本体内に収容される。すると、取付ばねの一対の腕部が引掛孔に挿入されながら外向きに広がり、一対の腕部のそれぞれの根元部分が底板の引掛孔の周縁に引っ掛けられる。さらに、二つの引掛具がそれぞれ、器具本体の底板に取り付けられている二つの引掛ばねに引っ掛けられる。その結果、反射部材は、器具本体内に収容された状態で、取付ばねと二つの引掛ばねのばね力によって器具本体に支持される。
【先行技術文献】
【特許文献】
【０００７】
【特許文献１】特開２０１８−２２６７３号公報
【発明の概要】
【発明が解決しようとする課題】
【０００８】
ところで、上記従来例のように器具本体内に反射部材を着脱可能に収容する場合において、器具本体の底板（底部）と反射部材の間隔にばらつきが生じるおそれがある。
【０００９】
本開示の目的は、器具本体の底部と反射部材の間隔のばらつきの抑制を図ることができる照明器具を提供することである。
【課題を解決するための手段】
【００１０】
本開示の一態様に係る照明器具は、第１面が開口した箱状の器具本体と、前記器具本体内に収容される面光源と、前記面光源から放射される光を前記第１面に向かって反射する反射面を有して前記器具本体内に収容される反射部材とを備える。前記照明器具は、前記反射部材を前記器具本体内に収容された状態に固定する固定部材と、前記器具本体と前記反射部材の間に設けられる一つ以上のスペーサとを備える。前記器具本体は、前記第１面と対向する底部を有する。前記スペーサは、前記底部との間に間隔を空けて前記反射部材と対向する対向片を有する。
【発明の効果】
【００１１】
本開示の照明器具は、器具本体の底部と反射部材の間隔のばらつきの抑制を図ることができるという効果がある。
【図面の簡単な説明】
【００１２】
【図１】図１は、本開示の実施形態に係る照明器具の斜視図である。
【図２】図２は、同上の照明器具の器具本体の斜視図である。
【図３】図３は、同上の照明器具の器具本体の下面図である。
【図４】図４は、同上の照明器具の反射部材の斜視図である。
【図５】図５は、同上の照明器具の反射部材の上面図である。
【図６】図６は、同上の照明器具の仮保持状態の斜視図である。
【図７】図７は、同上の照明器具の第３側部を省略した前端部分の側面図である。
【図８】図８は、同上の照明器具の第３側部を省略した後端部分の側面図である。
【図９】図９は、同上の照明器具の前端部分の断面図である。
【図１０】図１０は、同上の照明器具の反射部材の要部斜視図である。
【図１１】図１１は、同上の照明器具の要部の下面図である。
【図１２】図１２は、同上の照明器具の後端部分の断面図である。
【発明を実施するための形態】
【００１３】
以下、本開示の実施形態に係る照明器具について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１４】
実施形態に係る照明器具１（以下、照明器具１という。）は、システム天井に取り付けられるように構成されている。システム天井とは、単位天井を組み合わせたつり天井で、天井パネルを載せ掛け、照明器具、空調吹き出し口などの設備の取付けが容易にできる機能を有する天井である（日本工業規格  Ａ１４４５「システム天井構成部材の試験方法」参照）。ただし、本開示の実施形態に係る照明器具はシステム天井用の照明器具に限定されず、システム天井以外の構造の天井に取り付けられる照明器具などであっても構わない。
【００１５】
照明器具１は、図１〜図８に示すように、器具本体２、光源ユニット３、反射部材４、二つの仮保持部材５、二つの固定部材６、取付部材７などを備える。なお、以下の説明においては、特に断りのない限り、図１において矢印で示す上下、左右、前後の各方向を照明器具１の上下、左右、前後の各方向と規定する。
【００１６】
器具本体２は、一つの面（下面）が開口した箱状に形成されている（図２参照）。器具本体２は、四辺形状に形成されて下面と対向する底部２０と、底部２０の四つの辺のそれぞれと一つずつつながり、かつ、底部２０を囲む四つの側部とを有する。ただし、以下の説明では、底部２０の前側の辺につながる側部を第１側部２１、底部２０の後側の辺につながる側部を第２側部２２、底部２０の左側の辺につながる側部を第３側部２３及び底部２０の右側の辺につながる側部を第４側部２４とそれぞれ呼ぶ。
【００１７】
底部２０は、第１底板２０１、第２底板２０２、第３底板２０３及び第４底板２０４をつなぎ合わせることによって正方形の枠状に形成されている（図２及び図３参照）。第１底板２０１、第２底板２０２、第３底板２０３及び第４底板２０４はそれぞれ、金属板によって同一寸法の長方形状に形成されている。ただし、底部２０は正方形に限定されず、長方形などの正方形以外の四辺形であっても構わない。
【００１８】
第１側部２１、第２側部２２、第３側部２３及び第４側部２４はそれぞれ、長方形状に形成されている。ただし、第１側部２１は、金属板が曲げ加工されることによって第１底板２０１と一体に形成されている。同様に、第２側部２２は第２底板２０２と一体に形成され、第３側部２３は第３底板２０３と一体に形成され、第４側部２４は第４底板２０４と一体に形成されている。なお、第１側部２１、第２側部２２、第３側部２３及び第４側部２４はそれぞれ、第１底板２０１、第２底板２０２、第３底板２０３及び第４底板２０４と別体に形成されても構わない。
【００１９】
光源ユニット３は、光源部３０と導光板３１を有する（図３参照）。光源部３０は、長尺の基板３０２に複数個のＬＥＤ（Light Emitting Diode）３０１が実装されて構成されるＬＥＤモジュール３００と、ＬＥＤモジュール３００を収容するケース３２を有する（図７参照）。導光板３１は、アクリル樹脂又はポリカーボネート樹脂などの透光性を有する合成樹脂材料によって長方形の平板状に形成されている。導光板３１は、その上端部をケース３２内に収容した状態でケース３２に保持されている。ケース３２内において、ＬＥＤモジュール３００の複数個のＬＥＤ３０１が導光板３１の上端面と対向している（図７参照）。ゆえに、ＬＥＤモジュール３００から放射される光が導光板３１の上端面より導光板３１内に入射し、導光板３１内を進行しながら導光板３１の表面（後面）から後方に向かって出射する。つまり、光源ユニット３は面光源を構成している。
【００２０】
光源ユニット３は、第１側部２１に沿うように器具本体２内に収容される（図３及び図７参照）。具体的には、光源ユニット３のケース３２が第１底板２０１の下面における前端に取り付けられる。そして、導光板３１と第１側部２１がわずかな隙間を空けて平行に並んでいる（図７参照）。
【００２１】
反射部材４は、反射板４０と、四つの側板（第１側板４１、第２側板４２、第３側板４３及び第４側板４４）と、天板４５とを有する（図４及び図５参照）。反射板４０は、正方形の平板状に形成されている。なお、反射板４０の下面が反射面４００となる（図１参照）。
【００２２】
第１側板４１は、反射板４０の前側の辺から上向きに突出している（図４参照）。第１側板４１は、反射板４０とつながっている第１縦片４１１と、第１縦片４１１の上端から横方向（前方向）に突出する横片４１３と、横片４１３の前端から上向きに突出する第２縦片４１２とを有する（図７参照）。つまり、第１側板４１は、反射板４０から上方に向かって前方へ突出する階段状に形成されている。さらに、第１縦片４１１の長手方向（左右方向）の両端に、長方形状の貫通孔からなる引掛穴４１０が一つずつ設けられている（図１０参照）。ただし、引掛穴４１０の代わりに、長方形状の凹みが第１縦片４１１に設けられても構わない。
【００２３】
第２側板４２は、長方形の平板状に形成され、反射板４０の後側の辺から上向きに突出している（図８参照）。第３側板４３及び第４側板４４はそれぞれ、長尺の台形状に形成され、反射板４０の左右両側の辺から上向きに突出している（図４参照）。
【００２４】
天板４５は、長方形の平板状に形成されている（図４参照）。天板４５の二つの長辺のうちの一方の長辺が第２側板４２の上端とつながっている。天板４５の二つの短辺は、第３側板４３の後側の上端及び第４側板４４の後側の上端とそれぞれ一つずつつながっている（図４参照）。また、天板４５には、二つの引掛部４５０が設けられている。各引掛部４５０は、天板４５を厚み方向（上下方向）に貫通する逆Ｔ字形状の貫通孔の縁によって形成されている（図５参照）。
【００２５】
二つの仮保持部材５はそれぞれ、長方形状の主片５０と、主片５０の下端につながった引掛片５１と、主片５０の上端につながった固定片５２とを有している（図２参照）。引掛片５１は、主片５０に比べて幅広の長方形状に形成され、主片５０の下端から斜め上向きに突出している。固定片５２は、四辺形状に形成されている。固定片５２は、主片５０の上端から主片５０の厚み方向に沿って引掛片５１と反対方向に突出している。
【００２６】
二つの仮保持部材５はそれぞれ、器具本体２の第２底板２０２の下面に取り付けられる（図２及び図３参照）。より詳細には、第２底板２０２の下面において、中央の正方形の開口の後側の左右両端と隣り合う位置に仮保持部材５が一つずつ配置されている（図３参照）。ただし、各仮保持部材５は、引掛片５１を第２側部２２に対向させる向きで第２底板２０２に取り付けられる（図２参照）。
【００２７】
二つの固定部材６はそれぞれ、引掛具６０と引掛ばね６１を一つずつ有している（図３及び図４参照）。二つの引掛具６０はそれぞれ、ひし形の板状に形成されている。二つの引掛具６０は、反射板４０の上面における前端の左右両端に一つずつ配置されている。なお、各引掛具６０は、第１側板４１と平行するように起立している（図４及び図５参照）。
【００２８】
二つの引掛ばね６１はそれぞれ、ばね性を有する帯状の金属板によってΩ字状に形成されている（図９参照）。二つの引掛ばね６１は、器具本体２の第１底板２０１の下面における左右両端に一つずつ配置されている（図３参照）。
【００２９】
引掛具６０は、引掛ばね６１の２本の腕の間に抜き差し可能に挿入され、２本の腕に挟まれるように引掛ばね６１に支持される（図９参照）。
【００３０】
取付部材７は、ねじりコイルばねからなる取付ばね７０と、ばね取付部材７１を有している（図４参照）。取付ばね７０は、コイル部７００と、一対の腕部７０１を有している。なお、一対の腕部７０１のそれぞれの先端部分が折り曲げられている。取付ばね７０は、天板４５の長手方向（左右方向）の中央における前端部分に、ばね取付部材７１によって取り付けられる（図４及び図５参照）。
【００３１】
ばね取付部材７１は、ばね支持部７１０、固定部７１１及び対向部７１２を有する（図４及び図５参照）。ばね支持部７１０は、逆Ｕ字状に形成されている。ばね支持部７１０は、取付ばね７０のコイル部７００に挿通される。コイル部７００は、ばね支持部７１０に対して、コイル部７００の軸回りに回転可能かつコイル部７００の軸方向に移動可能な状態に支持される。固定部７１１は、四角形の板状に形成され、ばね支持部７１０の一端（後端）に設けられている。固定部７１１は、天板４５にねじ止めされる。対向部７１２は、ばね支持部７１０の他端（前端）部分からばね支持部７１０の幅方向（左右方向）に沿ってばね支持部７１０の左右両側に突出している（図４及び図５参照）。さらに、対向部７１２は、上下方向において、ばね支持部７１０よりも上に突出している（図４参照）。したがって、対向部７１２は、取付ばね７０の一対の腕部７０１の根元部分（コイル部７００とつながる部分）と前後方向において対向している。
【００３２】
取付ばね７０の一対の腕部７０１は、器具本体２の底部２０（第２底板２０２）に設けられたばね引掛部２６に引っ掛けられる。ばね引掛部２６は、第２底板２０２の左右方向の中央における前端において、第２底板２０２を厚み方向（上下方向）に貫通する貫通孔の縁によって形成されている（図３参照）。なお、前記貫通孔は、上下方向から見て正方形状の角孔と、この角孔の対角方向（左右方向）に沿って突出する長方形状の角孔とを有する。
【００３３】
ところで、器具本体２の内底面（底部２０の下面）の四隅、すなわち、第１底板２０１の下面の左右両端及び第２底板２０２の下面の左右両端に、それぞれスペーサ８が一つずつ取り付けられている（図２及び図３参照）。
【００３４】
これら四つのスペーサ８はそれぞれ、台形状の対向片８０と、対向片８０の平行な２辺の一方の辺（第１辺）から突出する第１側片８１と、対向片８０の平行な２辺の他方の辺（第２辺）から突出する第２側片８２とを有している（図２参照）。各スペーサ８は、第２側片８２の先端（上端）から対向片８０と反対側に突出する固定片８４と、固定片８４の先端から第２側片８２と平行に突出する第３側片８３とを更に有している。ただし、対向片８０、第１側片８１、第２側片８２、第３側片８３及び固定片８４は、金属板によって一体に形成されることが好ましい。
【００３５】
対向片８０は、対向片８０の厚み方向（上下方向）に貫通する二つのねじ穴８００を有している。二つのねじ穴８００は、対向片８０の第１辺に沿って並ぶように第１辺の長手方向の両端に一つずつ設けられている（図２及び図３参照）。
【００３６】
各スペーサ８は、第１側片８１を第３側部２３又は第４側部２４に当てた状態で固定片８４が第１底板２０１又は第２底板２０２にねじ止めされることによって底部２０に取り付けられている。なお、スペーサ８の対向片８０と器具本体２の内底面（底部２０）の間に空間Ｓ１が形成される（図９参照）。また、第１底板２０１の両端に取り付けられた二つのスペーサ８の固定片８４はそれぞれ、一つの引掛ばね６１とともに第１底板２０１にねじ止めされている。つまり、引掛ばね６１の各腕部７０１は、第２側片８２及び第３側片８３とたわみ方向（左右方向）に沿って対向している（図９参照）。
【００３７】
器具本体２の底部２０（第４底板２０４）の下面に、電源装置１０、信号変換装置１２、電源端子台１３及び信号端子台１４が取り付けられている（図２及び図３参照）。
【００３８】
電源装置１０は、光源ユニット３のＬＥＤモジュール３００に直流電流を供給してＬＥＤモジュール３００を点灯させる。電源装置１０は、プリント回路板と、プリント回路板を収容する金属製のケース１０３とを有する（図２及び図３参照）。プリント回路板は、電力系統から供給される交流電力を直流電力に変換する電力変換回路、電源用コネクタ１００、信号用コネクタ１０１、出力用コネクタ１０２などがプリント配線板に実装されて構成されている。電源用コネクタ１００は、電源端子台１３と電線を介して電気的に接続される。信号用コネクタ１０１は、信号変換装置１２と電線を介して電気的に接続される。出力用コネクタ１０２は、２本の電線１１を介して光源ユニット３の光源部３０と電気的に接続される。
【００３９】
信号変換装置１２は、信号端子台１４を介して信号線に電気的に接続され、信号線によって伝送される、パルス幅変調（ＰＷＭ）方式の調光信号を直流の電圧信号に信号変換する。電源装置１０の電力変換回路は、信号変換装置１２で信号変換された電圧信号の電圧レベル、すなわち、調光信号で指示された調光レベルに応じて、出力（出力電流）を増減するように構成されている。
【００４０】
ここで、第４底板２０４には、二つの電線挿通孔２０４１、２０４２が設けられている（図３参照）。二つの電線挿通孔２０４１、２０４２は、第４底板２０４の長手方向（前後方向）の両端に設けられている。前方の電線挿通孔２０４１には、電力系統から交流電力が供給される電源線が挿通される。後方の電線挿通孔２０４２には、信号線が挿通される。ただし、前方の電線挿通孔２０４１に信号線が挿通され、後方の電線挿通孔２０４２に電源線が挿通されても構わない。
【００４１】
次に、照明器具１の施工手順を説明する。まず、施工作業を行う作業者は、反射部材４を取り外した器具本体２をシステム天井に取り付ける。すなわち、作業者は、第３側部２３及び第４側部２４の外側面にそれぞれ設けられている引掛金具２５（図２及び図３参照）を、システム天井を構成する２本のＴバーの上部に引っ掛けることにより、器具本体２をシステム天井に取り付ける。
【００４２】
続いて、作業者は、第４底板２０４の一方の電線挿通孔２０４１から引き込んだ電源線を電源端子台１３に電気的に接続し、他方の電線挿通孔２０４２から引き込んだ信号線を信号端子台１４に電気的に接続する。
【００４３】
次に、作業者は、器具本体２に反射部材４を取り付ける。まず、作業者は、一対の仮保持部材５のそれぞれの引掛片５１を、天板４５の引掛部４５０に引っ掛ける。つまり、反射部材４は、仮保持部材５によって器具本体２に仮保持される。さらに、作業者は、取付ばね７０の一対の腕部７０１のそれぞれの先端部分を、器具本体２の底部２０（第２底板２０２）のばね引掛部２６に引っ掛ける（図６参照）。それから、作業者は、反射部材４を押し上げて器具本体２内（底部２０と四つの側部に囲まれた空間）に反射部材４を収容する。すると、取付ばね７０の一対の腕部７０１は、ばね引掛部２６を通して第２底板２０２の上面側に突出しながら外向きに広がり、一対の腕部７０１のそれぞれの根元部分（コイル部７００に近い部分）が、ばね引掛部２６に引っ掛かる。さらに、二つの固定部材６のそれぞれの引掛具６０が引掛ばね６１に引っ掛かる。その結果、反射部材４は、器具本体２内に収容された状態で、取付ばね７０と２つの引掛ばね６１のばね力によって器具本体２に支持される（図１参照）。このとき、反射部材４は、四つの側板（第１側板４１、第２側板４２、第３側板４３及び第４側板４４）のそれぞれの上端を、四つのスペーサ８（の対向片８０）にそれぞれ当てることにより、器具本体２に対して上下方向の位置が決まる（図７及び図８参照）。上述のようにして、照明器具１の施工作業が完了する。
【００４４】
上述のように、照明器具１は、スペーサ８によって器具本体２に対する反射部材４の位置決めを行っているので、器具本体２の底部２０と反射部材４の間隔のばらつきの抑制を図ることができる。
【００４５】
また、照明器具１では、スペーサ８の対向片８０と器具本体２の底部２０の間に形成された空間Ｓ１に、電源装置１０の出力用コネクタ１０２と光源ユニット３のＬＥＤモジュール３００を電気的に接続する電線１１が配線されている（図３参照）。すなわち、照明器具１では、器具本体２に反射部材４が取り付けられる際、対向片８０で電線１１を保護することができる。その結果、照明器具１は、器具本体２への反射部材４の取付け時に電線１１の挟み込みを防ぐための作業が不要であるから、器具本体２への反射部材４の取付け作業の作業性の向上を図ることができる。
【００４６】
ところで、スペーサ８は、対向片８０から反射部材４に近付く向き（下向き）に突出する突部を有することが好ましい。さらに、突部は、対向片８０からの突出量が可変であることが好ましい。照明器具１では、対向片８０に設けられるねじ穴８００にねじ込まれた調整ねじ８５の頭部８５０を突部としている。
【００４７】
つまり、照明器具１では、スペーサ８の突部（調整ねじ８５の頭部８５０）に反射部材４を当てることによって器具本体２の底部２０と反射部材４の間隔を規制（位置決め）している（図８及び図１２参照）。したがって、照明器具１は、スペーサ８の対向片８０全体を反射部材４に当てる場合に比べて、器具本体２の底部２０と反射部材４の間隔のばらつきの更なる抑制を図ることができる。
【００４８】
ところで、照明器具１では、光源ユニット３に対向する器具本体２の第２側部２２に影ができることを防ぐため、反射部材４の第２側板４２の下端を器具本体２の第２側部２２の下端よりも低くしている。そして、第２側部２２の下端から下向きに突出した調整ねじ８５の頭部８５０を上下方向に変位させれば、第２側部２２の下端から突出する反射部材４の突出量を調整することができる。通常、一つの照明空間（例えば、オフィスビルの一つのフロア）に複数台の照明器具１が設置されることが多く、複数台の照明器具１のそれぞれの反射部材４の突出量にばらつきがあると見栄えがよくない。そのため、照明器具１は、突部（頭部８５０）の突出量を調整して器具本体２に対する反射部材４の突出量を調整することにより、照明器具１が設置される照明空間の見栄えの低下を抑制することができる。しかも、照明器具１では、対向片８０のねじ穴８００にねじ込んだ調整ねじ８５をドライバで回すことにより、突部（頭部８５０）の突出量を簡単に調整することができる。その結果、照明器具１は、突部（頭部８５０）の突出量を調整する作業の作業性の向上を図ることができる。
【００４９】
なお、照明器具１では、取付部材７（の取付ばね７０）の弾性力（ばね力）によって反射部材４を底部２０に近付ける向き（上向き）に引っ張っているので、反射部材４を対向片８０の突部（頭部８５０）に確実に当てることができる。その結果、照明器具１は、器具本体２の底部２０と反射部材４の間隔のばらつきの更なる抑制を図ることができる。
【００５０】
ここで、四つのスペーサ８のうち、器具本体２の第１底板２０１に取り付けられた二つのスペーサ８のそれぞれの第２側片８２と第３側片８３の間に引掛ばね６１が一つずつ収められている（図３及び図９参照）。引掛ばね６１の２本の腕は、それぞれの腕がたわむ方向（左右方向）に沿って、第２側片８２及び第３側片８３と対向している。しかして、引掛具６０が引掛ばね６１の２本の腕の間に差し込まれる際、それぞれの腕のたわむ範囲（たわみ量）が第２側片８２と第３側片８３によって制限される。その結果、照明器具１は、引掛ばね６１の腕が必要以上にたわんで引掛ばね６１が塑性変形することを防ぐことができる。
【００５１】
ところで、照明器具１では、器具本体２の底部２０の四隅にスペーサ８が一つずつ設けられているが、少なくとも底部２０の後端側、つまり、第２底板２０２の左右両端にスペーサ８が一つずつ設けられていればよい。ただし、器具本体２の底部２０の四隅にスペーサ８が一つずつ設けられることにより、器具本体２に取り付けられた反射部材４の安定性の向上を図ることができる。
【００５２】
ところで、器具本体２に対する反射部材４の取付け及び取り外しの作業において、ばね引掛部２６に取付ばね７０の腕部７０１を引っ掛ける際、誤って腕部７０１から手を離した場合に取付ばね７０のばね力で腕部７０１が勢いよく広がることがある。このとき、広がった腕部７０１が反射部材４の反射板４０に当たって反射板４０に傷が付くおそれがある。そのために照明器具１では、取付ばね７０を反射部材４の天板４５に取り付けるばね取付部材７１が、コイル部７００の軸方向に沿って腕部７０１と対向する対向部（７１２）を有している。つまり、取付ばね７０のばね力で腕部７０１が勢いよく広がっても、対向部７１２に当たることで腕部７０１が反射板４０に当たることが抑制される。ゆえに、照明器具１は、腕部７０１によって反射板４０に傷が付くというような不具合の発生の抑制を図ることができる。
【００５３】
ここで、反射部材４の四隅、具体的には、第１側板４１と第３側板４３及び第４側板４４の継ぎ目と、第２側板４２と第３側板４３及び第４側板４４の継ぎ目のそれぞれに保護部材１６が取り付けられている（図４参照）。保護部材１６は、シリコーンラバーのような高弾性の材料によって板状に形成されている。照明器具１では、反射部材４の四隅に保護部材１６が取り付けられているので、器具本体２に対する反射部材４の取付け及び取り外しの際に導光板３１及び器具本体２などが反射部材４によって傷付くことを防ぐことができる。
【００５４】
また、器具本体２及び反射部材４には、反射部材４の落下を防止するためのひもが着脱可能に取り付けられることが好ましい。ひもの一端は、反射部材４の反射板４０の上面における前端に設けられたひも固定板４６（図４及び図５参照）に固定される。一方、ひもの他端は、器具本体２の第１底板２０１に設けられたひも引掛部２０５（図２及び図３参照）に着脱可能に引っ掛けられる。したがって、照明器具１は、器具本体２と反射部材４がひもでつながれることにより、器具本体２に対する反射部材４の取付け及び取り外しの作業時に誤って反射部材４が落下することを防ぐことができる。
【００５５】
上述のように第１の態様に係る照明器具（１）は、第１面が開口した箱状の器具本体（２）と、器具本体（２）内に収容される面光源（光源ユニット３）とを備える。第１の態様に係る照明器具（１）は、面光源から放射される光を第１面に向かって反射する反射面（４００）を有して器具本体（２）内に収容される反射部材（４）を備える。第１の態様に係る照明器具（１）は、反射部材（４）を器具本体（２）内に収容された状態に固定する固定部材（６）と、器具本体（２）と反射部材（４）の間に設けられる一つ以上のスペーサ（８）とを備える。器具本体（２）は、第１面と対向する底部（２０）を有する。スペーサ（８）は、底部（２０）との間に間隔を空けて反射部材（４）と対向する対向片（８０）を有する。
【００５６】
第１の態様に係る照明器具（１）は、スペーサ（８）によって器具本体（２）の底部（２０）と反射部材（４）の間隔を規制（位置決め）するので、器具本体（２）の底部（２０）と反射部材（４）の間隔のばらつきの抑制を図ることができる。
【００５７】
第２の態様に係る照明器具（１）は、第１の態様との組合せにより実現され得る。第２の態様に係る照明器具（１）は、器具本体（２）内に収容され、面光源に電力を供給して点灯する電源装置（１０）と、電源装置（１０）と面光源を電気的に接続する電線（１１）とを備えることが好ましい。電線（１１）は、対向片（８０）と底部（２０）の間に生じる空間（Ｓ１）に配線されることが好ましい。
【００５８】
第２の態様に係る照明器具（１）は、器具本体（２）に反射部材（４）が取り付けられる際、対向片（８０）で電線（１１）を保護することができる。その結果、第２の態様に係る照明器具（１）は、器具本体（２）への反射部材（４）の取付け時に電線（１１）の挟み込みを防ぐための作業が不要であるから、器具本体（２）への反射部材（４）の取付け作業の作業性の向上を図ることができる。
【００５９】
第３の態様に係る照明器具（１）は、第１又は第２の態様との組合せにより実現され得る。第３の態様に係る照明器具（１）において、スペーサ（８）は、対向片（８０）から反射部材（４）に近付く向きに突出する突部（頭部８５０）を有することが好ましい。
【００６０】
第３の態様に係る照明器具（１）は、スペーサ（８）の対向片（８０）全体を反射部材（４）に当てる場合に比べて、器具本体（２）の底部（２０）と反射部材（４）の間隔のばらつきの更なる抑制を図ることができる。
【００６１】
第４の態様に係る照明器具（１）は、第３の態様との組合せにより実現され得る。第４の態様に係る照明器具（１）において、突部は、対向片（８０）からの突出量が可変であることが好ましい。
【００６２】
第４の態様に係る照明器具（１）は、突部（頭部８５０）の突出量を調整して器具本体（２）に対する反射部材（４）の突出量を調整することができる。
【００６３】
第５の態様に係る照明器具（１）は、第４の態様との組合せにより実現され得る。第５の態様に係る照明器具（１）において、突部は、対向片（８０）に設けられるねじ穴（８００）にねじ込まれた雄ねじ（調整ねじ８５）の頭部（８５０）であることが好ましい。
【００６４】
第５の態様に係る照明器具（１）は、突部（頭部８５０）の突出量を調整する作業の作業性の向上を図ることができる。
【００６５】
第６の態様に係る照明器具（１）は、第５の態様との組合せにより実現され得る。第６の態様に係る照明器具（１）は、反射部材（４）を器具本体（２）に取り付ける取付部材（７）を備えることが好ましい。取付部材（７）は、弾性力によって反射部材（４）を底部（２０）に近付ける向きに引っ張っていることが好ましい。
【００６６】
第６の態様に係る照明器具（１）は、器具本体（２）の底部（２０）と反射部材（４）の間隔のばらつきの更なる抑制を図ることができる。
【００６７】
第７の態様に係る照明器具（１）は、第１〜第６の態様のいずれかとの組合せにより実現され得る。第７の態様に係る照明器具（１）は、スペーサ（８）を複数備えることが好ましい。固定部材は、Ｕ字形状のばねからなる受け部（引掛ばね６１）と、受け部に対して抜き差し可能に挟み込まれる差込部（引掛具６０）とを有することが好ましい。複数のスペーサ（８）のうちの少なくとも一つのスペーサ（８）は、受け部が弾性変形する方向に沿って受け部と対向する制限部（第２側片８２、第３側片８３）を有することが好ましい。
【００６８】
第７の態様に係る照明器具（１）は、受け部のたわみを制限部で制限することにより、受け部が必要以上にたわんで塑性変形することを防ぐことができる。
【００６９】
第８の態様に係る照明器具（１）は、第１〜第７の態様との組合せにより実現され得る。第８の態様に係る照明器具（１）において、スペーサ（８）は、底部（２０）の四隅に一つずつ設けられていることが好ましい。
【００７０】
第８の態様に係る照明器具（１）は、器具本体（２）の底部（２０）の四隅にスペーサ（８）が一つずつ設けられることにより、器具本体（２）に取り付けられた反射部材（４）の安定性の向上を図ることができる。
【符号の説明】
【００７１】
１  照明器具
２  器具本体
３  光源ユニット（面光源）
４  反射部材
６  固定部材
７  取付部材
８  スペーサ
１０  電源装置
１１  電線
２０  底部
６０  引掛具（差込部）
６１  引掛ばね（受け部）
８０  対向片
８２  第２側片（制限部）
８３  第３側片（制限部）
８５  調整ねじ（雄ねじ）
４００  反射面
８５０  頭部（突部）
Ｓ１  空間
【図１】
2020181682.tif 000003
【図２】
2020181682.tif 000004
【図３】
2020181682.tif 000005
【図４】
2020181682.tif 000006
【図５】
2020181682.tif 000007
【図６】
2020181682.tif 000008
【図７】
2020181682.tif 000009
【図８】
2020181682.tif 000010
【図９】
2020181682.tif 000011
【図１０】
2020181682.tif 000012
【図１１】
2020181682.tif 000013
【図１２】
2020181682.tif 000014